(57)【要約】  対象手術部位の組織を剪断するための手術ツールは、遠位端と近位端とを有するカニューレアセンブリと、遠位端でカニューレの管腔内へと入るカニューレ開口部と、遠位端及びカニューレ開口部内に接続されている切断装置と、カニューレアセンブリの近位端に接続され、回転すると、対象手術部位の組織の一部を剪断するように遠位端の切断装置をカニューレアセンブリの管腔を軸方向に通る縦軸の回りに回転させる軸方向玉継ぎ手とを備える。【選択図】図２
2021514278.tif 000002
【特許請求の範囲】
【請求項１】
対象手術部位の組織を剪断するための手術ツールであって、
遠位端と近位端とを有するカニューレアセンブリと、
前記遠位端で前記カニューレアセンブリの管腔内へと入るカニューレ開口部と、
前記遠位端及び前記カニューレ開口部内に接続されている切断装置と、
前記カニューレアセンブリの前記近位端に接続され、回転すると、対象手術部位の組織の一部を剪断するように、前記遠位端の前記切断装置を前記カニューレアセンブリの前記管腔を軸方向に通る縦軸の回りに回転させる軸方向玉継ぎ手とを備える、手術ツール。
【請求項２】
前記対象手術部位は、対象者の眼の線維柱帯である、請求項１に記載の手術ツール。
【請求項３】
前記カニューレアセンブリの前記遠位端は、湾曲した内向き先端形状を有する、請求項１に記載の手術ツール。
【請求項４】
前記カニューレアセンブリの前記遠位端は、傾斜した先端を有する、請求項１に記載の手術ツール。
【請求項５】
外側チューブをさらに備え、
前記カニューレアセンブリが前記縦軸に沿って軸方向に通る前記外側チューブ内に設置され、前記カニューレアセンブリが前記外側チューブ内で回転可能である、請求項１に記載の手術ツール。
【請求項６】
前記外側チューブは回転不能である、請求項５に記載の外科用チューブ。
【請求項７】
前記切断装置は、前記カニューレ内の中間点まで放射状に延びている又は前記カニューレ開口部の同一平面上にある、請求項１に記載の手術ツール。
【請求項８】
前記切断装置は外科用切断ブレードである、請求項１に記載の手術ツール。
【請求項９】
前記切断装置は切断ワイヤである、請求項１に記載の手術ツール。
【請求項１０】
対象手術部位の組織を剪断するための手術ツールであって、
遠位端と近位端とを有し、細長いチューブの第１管腔を軸方向に通る縦軸に沿う可撓性シース内に前記細長いチューブを有し、前記縦軸に沿って前記可撓性シースと前記細長いチューブとの間に第２管腔が形成されているカニューレアセンブリと、
前記遠位端で前記細長いチューブに接続される外科用ブレードと、
前記手術ツールの本体に取り付けられ、前記近位端で前記カニューレアセンブリに接続される中央内側ハブ穴及び１以上の外側ハブ穴を有するコネクタハブと、
を備え、
前記細長いチューブは、前記コネクタハブの前記中央内側ハブ穴内に設置され、前記コネクタハブの前記１以上の外側ハブ穴は前記第２管腔に接続され、
前記手術ツールは、前記手術ツールの前記本体内の軸方向玉継ぎ手であって、前記カニューレアセンブリの前記近位端で前記細長いチューブに接続され、回転すると、対象手術部位の組織の一部を剪断するように前記遠位端の前記外科用ブレードを前記縦軸の回りに回転させる軸方向玉継ぎ手を備える、手術ツール。
【請求項１１】
前記剪断される部分は、眼の線維柱帯から切除される眼組織を含む、請求項１０に記載の手術ツール。
【請求項１２】
前記本体に、組織の前記剪断される部分を収集するための生検収集チャンバをさらに備える、請求項１０に記載の手術ツール。
【請求項１３】
前記生検収集チャンバは、前記剪断される部分から組織の小片を捕捉するためのふるいを備える、請求項１２に記載の手術ツール。
【請求項１４】
前記外科用ブレードで前記一部を剪断する前に、前記遠位端で前記第１管腔へと前記一部を吸い込むように構成されている真空ポンプをさらに備える、請求項１０に記載の手術ツール。
【請求項１５】
前記第１管腔を通して生検収集チャンバへと前記剪断される部分を吸い込むように構成されている真空ポンプをさらに備える、請求項１０に記載の手術ツール。
【請求項１６】
前記１以上の外側ハブ穴を通して前記カニューレアセンブリの前記近位端の前記第２管腔に接続される注入チューブを前記手術ツールの前記本体内にさらに備える、請求項１０に記載の手術ツール。
【請求項１７】
前記手術ツールの前記本体に形成され、前記注入チューブに接続される洗浄流体入力口をさらに備える、請求項１６に記載の手術ツール。
【請求項１８】
前記可撓性シースは、前記手術ツールの前記本体の前記洗浄流体入力口を通して導入される洗浄流体が、前記遠位端の出口穴を通って前記対象手術部位を洗浄し得るように、前記カニューレアセンブリの前記遠位端の近傍の前記第２管腔へと入る前記出口穴を有する、請求項１７に記載の手術ツール。
【請求項１９】
ユーザにより押されて、前記対象手術部位における切断、吸引、又は注入機能の間を切り替え可能なボタンをさらに備える、請求項１０に記載の手術ツール。
【請求項２０】
対象手術部位の組織を剪断するための方法であって、
手術ツールのカニューレアセンブリの遠位端を対象手術部位にナビゲートする工程であって、前記手術ツールは、
前記遠位端と近位端とを有し、細長いチューブの第１管腔を軸方向に通る縦軸に沿う可撓性シース内に前記細長いチューブを有し、前記縦軸に沿って前記可撓性シースと前記細長いチューブとの間に第２管腔が形成されているカニューレアセンブリと、
前記遠位端で前記細長いチューブに接続される外科用ブレードと、
前記手術ツールの本体に取り付けられ、前記近位端で前記カニューレアセンブリに接続される中央内側ハブ穴及び１以上の外側ハブ穴を有するコネクタハブと、
前記細長いチューブは、前記コネクタハブの前記中央内側ハブ穴内に設置され、前記コネクタハブの前記１以上の外側ハブ穴は前記第２管腔に接続され、
前記手術ツールが、前記手術ツールの前記本体内の軸方向玉継ぎ手であって、前記カニューレアセンブリの前記近位端で前記細長いチューブに接続され、回転すると、前記遠位端の前記外科用ブレードを前記縦軸の回りに回転させる軸方向玉継ぎ手とを備える、工程と、
前記軸方向玉継ぎ手を回転させることで前記対象手術部位の組織の一部を剪断する工程と、を備える方法。
【請求項２１】
前記組織の一部を剪断する工程は、眼の線維柱帯から眼組織を切除することを含む、請求項２０に記載の方法。
【請求項２２】
前記第１管腔を通して生検収集チャンバへと前記剪断される部分を吸い込むように、前記第１管腔に真空を適用することによって生検サンプルを採取する工程をさらに備える、請求項２０に記載の方法。
【請求項２３】
前記カニューレアセンブリの前記遠位端の近傍の前記第２管腔から前記可撓性シースの出口穴を通る洗浄流体で前記対象手術部位を洗浄する工程をさらに備える、請求項２０に記載の方法。
【請求項２４】
前記外科用ブレードで前記剪断される部分を剪断する前に前記遠位端の前記第１管腔へと前記対象手術部位の前記組織の一部を吸い込む工程をさらに備える、請求項２０に記載の方法。
【請求項２５】
前記組織の一部を前記遠位端の前記第１管腔へと吸い込んだ後、所定の時間間隔内で前記対象手術部位の前記組織の一部を前記外科用ブレードで剪断し、洗浄流体で前記対象手術部位を洗浄する工程をさらに備える、請求項２４に記載の方法。
【発明の詳細な説明】
【技術分野】
【０００１】
本発明は、手術ツールに関し、さらに具体的には対象手術部位の組織を剪断するための方法及び装置に関する。
【背景技術】
【０００２】
緑内障は、視野欠損、最終的には失明を引き起こす視神経頭の進行性萎縮を特徴とする疾患群である。緑内障は多くの場合、上昇した眼圧（ＩＯＰ）に関連付けられ、これは多重のメカニズムを介して視神経線維を傷付けるため、視野欠損の進行に最も重要な危険性要因となる。緑内障の他の原因として、局所循環不良、組織の衰弱、又は構造体の異常によって眼圧に対して神経がとりわけ傷つきやすいということもあり得る。「正常な」眼では、眼圧は１０乃至２１ｍｍＨｇの範囲にある。緑内障の眼では、圧力は７５ｍｍＨｇまで上がり得る。ＩＯＰは緑内障の唯一の治療可能な面であり、その低下の成功は病気の進行を遅らせるのに効果的である。
【０００３】
緑内障には数種類あり、原発性開放隅角（ＰＯＡＧ）及び閉塞隅角緑内障が挙げられ、これらは、主に眼からの房水流出の障害による眼圧の異常な上昇を伴う。最も一般的なタイプは原発性開放隅角緑内障で、房水が虹彩角膜角に自由に出入りするが、線維柱帯（ＴＭ）の障害により房水排出が損なわれている。閉塞隅角緑内障はとりわけアジア人に一般的で、水晶体の外科的除去又はレーザ周辺虹彩切開術により最初は治療され得る。隅角を広げるためにこれが一度行われると、ＯＡＧの場合のように残りの隅角は隅角手術に潜在的に適するが、集合管以降の下流の損傷により、結果はより控えめなものとなり得る。緑内障のあまり一般的でないタイプとしては、炎症、外傷、及び出血に関連する続発性緑内障が挙げられる。これらは、下流の損傷によって又は多重のメカニズムが影響を及ぼしているため、治療がより困難であり得る。
【０００４】
ＯＡＧは、線維柱帯における閉塞によって引き起こされる。これは眼圧の上昇の原因となる。主な障害は傍小管部分で起こり、これはシュレム管（ＳＣ）に隣接して位置している。小さなニードル又はプローブをシュレム管に導入し、管から前房（ＡＣ）を開きながら線維柱帯を機械的に破壊する手術（線維柱帯切開術）を行うことができる。房水の管への放出を容易にし、その結果、眼圧を下げるため、線維柱帯の約９０°乃至１２０°はこのようにして破壊できる。
【０００５】
現在の全てのＯＡＧの治療は眼圧（ＩＯＰ）を下げることにより成り立っている。初期治療は、プロスタグランジン類似体、βブロッカ、炭酸脱水酵素阻害薬その他の点眼薬を投与して、房水の流出又は流出増加を容易にすることを伴っている。薬物療法は大多数の緑内障患者にとって、特に長期間にわたると極めて高価である。加えて、病気に苦しめられる多くの人は、医薬品を簡単に入手できない遠隔の又は未開発の地域に住んでいる。治療で使用される医薬品には、多くの場合、好ましくない副作用がある。さらに、５０パーセントを超える患者は、彼らの薬物治療を全く使用せず、あるいは最適に使用していないため、点滴薬の複雑な投薬計画の順守及び持続は困難である。
【０００６】
ＩＯＰの低下の非効率性又は低コンプライアンスによって評価され、薬物治療が失敗すると（例えば、点眼治療が効かなくなる）、レーザ又は外科的治療が使用され得る。緑内障のレーザ手術は、非侵襲的である一方、施設の整った大きな眼科病院に限定される。処置には３つの大きな欠点がある。第１に、処置は、２０％の失敗率で、必ず眼の圧力を下げるわけではないかもしれない。第２に、処置の効果は永久でなく、最良のケースのシナリオで数か月から５年間のＩＯＰの低下の継続が見られた。第３に、レーザ手術は線維柱帯の裏に瘢痕を作る場合がある。さらに、レーザ手術がもはや選択肢でない場合、患者は従来の手術の選択肢に頼るほかない。
【０００７】
ＩＯＰを下げる最も一般的な手術は保護式濾過手術（線維柱帯切除術）であり、ここでは、角膜輪部の強膜に作られた瘻孔が上乗せされた部分的な厚みを有する縫合された強膜フラップにより保護される。強膜フラップは、眼球から房水の過剰な損失に対し追加的な抵抗を提供し、その結果、術後早期の低眼圧症の危険性を軽減させる。しかしながら、瘢痕は、とりわけアジア人人口においては、非常に一般的で、有害作用を制限しつつ抗線維化剤の一般的使用が、他の眼組織に対するこれらの薬剤の毒性のバランスを取りつつ必要とされる。
【０００８】
例えば、殆どが開発途中で、部分的にのみ実用化されている、様々な最小限の侵襲的な処置及びインプラントその他の眼科インプラント器具を使用して、濾過手術の課題を克服するために様々な試みがこれまで行われてきており、現在でも行われている。アーメド緑内障ドレナージ装置等の緑内障ドレナージ装置が後に使用されている。このような装置は、ＩＯＰを抜くために眼球に作られた開口の完全性を維持するように、典型的にドレナージチューブを備える。このようなドレナージ装置はいくつかのデメリットに悩まされる。例えば、インプラントは眼球からの房水の流出を規制するためのバルブメカニズムを利用していてもよく、このようなバルブメカニズムにおける欠陥及び／又は不具合は、房水の過剰な放出及び低眼圧症の可能性の原因になりかねない。これらの装置は、結膜瘢痕から時の経過によって不具合を起こす傾向がある。
【０００９】
さらに、典型的なインプラント挿入作業は複雑で、そして高額で時間を要する。多くの場合は、既存の瘢痕又は再手術の人といった複雑な緑内障の問題のために保留されている。より近年には、様々なインプラントが虹彩角膜角に挿入され、線維柱帯の閉塞をバイパスすることを伴う、低侵襲緑内障手術（ＭＩＧＳ）の使用が広がっている。これらは高価でさらなる技術が必要となる。これらの装置は典型的に線維柱帯における閉塞を対処し、有効性が制限的であるという問題があるが、線維柱帯切除術よりもはるかに安全である。これらは一般に白内障手術と併せて使用される。線維柱帯を対象とするＭＩＧＳのうちのいくつかは、１２０度を超えてＴＭを剥がすブレードがあるが、どれほどの損傷を管の後壁が受けるのか及び他の組織への付随的損傷に対する懸念がある。
【００１０】
他には、管内に置かれて、ＴＭをバイパスするのみならず管を拡げるインプラントがある。線維柱帯内のいくつかのインプラントは、より多くがＴＭ内に置かれると、さらに劇的なＩＯＰ低下効果があることを示したが、当然これには費用がかかる。ＭＩＧＳのより使用が困難なタイプのものには、管に挿入され３６０度通される光ファイバーカテーテルの使用が含まれる。眼内にインプラントを残すことなくカテーテルが引き抜かれる際に、管及び集合管を拡げるために粘弾性剤が使用される。最後に、米国食品医薬品局（ＦＤＡ）は現在、ある脈絡膜上腔インプラントを、角膜の内皮細胞に有害作用があるため、市場から回収させている。
【００１１】
これらの全てが失敗した場合、他の治療の形態には、眼への房水の分泌を減少させて、その結果、ＩＯＰを下げるため、一般にレーザ又は高周波超音波を当てることにより、眼の毛様体を物理的又は熱的破壊すること（「毛様体破壊」）が含まれる。これは、未だ頻繁に観察されている低眼圧症を引き起こすやり直し処置や過剰処置によって、さらなる視力喪失の原因になりかねず、影響の予測ができない可能性があるため、視力の低下した眼に対しては保留されている。
【００１２】
比較的新しい技術に、発振波長３０８ｎｍのＸｅＣｌエキシマレーザーを使用したアブ  インテルノ式のエキシマレーザー線維柱帯切開術（ＥＬＴ）がある。ＥＬＴは、シュレム管の内壁の前部網に０．５ｍｍの孔を作ることで房水流出率を高めるために開発された。この技術は、非常に高価で大きなレーザを非常に有毒なガスとともに使用することを伴う。３０８ｎｍの波長は水では伝送されないからである。前房に挿入されたプローブを通してレーザビームがＴＭに当てられ、０．５ｍｍ以上の孔を作っているＴＭに触れる。これが、眼からプローブが取り外されることなく６乃至１０回繰り返される。ＥＬＴは、ＩＯＰを下げるには非常に効果的だが、価格及び器具の複雑さから一般的には利用できない。
【発明の概要】
【発明が解決しようとする課題】
【００１３】
治療選択肢の限定的な有効性を考慮すると、さらに効果的で、繰り返し可能で、インプラントなしで、あまり破壊的でない緑内障治療、とりわけ、眼の線維柱帯の後壁を破壊せず眼の線維柱帯の後壁に触れない治療が必要である。
【課題を解決するための手段】
【００１４】
そのため、本発明のいくつかの実施形態によると、対象手術部位の組織を剪断するための手術ツールが提供されている。前記手術ツールは遠位端と近位端とを有するカニューレアセンブリと、前記遠位端で前記カニューレアセンブリの管腔内へと入るカニューレ開口部と、前記遠位端の細長いチューブ及び前記カニューレ開口部内に接続されている切断装置と、軸方向玉継ぎ手とを備えてもよい。前記手術ツールの前記本体内の前記軸方向玉継ぎ手は、前記カニューレアセンブリの前記近位端に接続されて、回転すると、対象手術部位の組織の一部を剪断するように前記遠位端の前記切断装置を前記カニューレアセンブリの前記管腔を軸方向に通る縦軸の回りに回転させる。
【００１５】
さらに本発明のいくつかの実施形態によると、前記対象手術部位は、対象者の眼の線維柱帯である。
【００１６】
さらに本発明のいくつかの実施形態によると、前記カニューレアセンブリの前記遠位端は、湾曲した内向き形状を有する。
【００１７】
さらに本発明のいくつかの実施形態によると、前記カニューレアセンブリの前記遠位端は、傾斜した先端を有する。
【００１８】
さらに本発明のいくつかの実施形態によると、前記手術ツールは、外側チューブを備えてもよく、前記カニューレアセンブリが前記縦軸に沿って軸方向に通る前記外側チューブ内に設置され、前記カニューレアセンブリが前記外側チューブ内で回転可能である。
【００１９】
さらに本発明のいくつかの実施形態によると、前記外側チューブは回転不能である。
【００２０】
さらに本発明のいくつかの実施形態によると、前記切断装置は、前記カニューレ内の中間点まで放射状に延びている又は前記カニューレ開口部の同一平面上にある。
【００２１】
さらに本発明のいくつかの実施形態によると、前記切断装置は外科用切断ブレードである。
【００２２】
さらに本発明のいくつかの実施形態によると、前記切断装置は切断ワイヤである。
【００２３】
本発明のいくつかの実施形態によると、対象手術部位の組織を剪断するための手術ツールがさらに提供されている。前記手術ツールは、カニューレアセンブリと、外科用ブレードと、コネクタハブと、軸方向玉継ぎ手とを備えてもよい。遠位端と近位端とを有する前記カニューレアセンブリは、細長いチューブの第１管腔を軸方向に通る縦軸に沿う可撓性シース内に前記細長いチューブを有してもよい。前記縦軸に沿って前記シースと前記細長いチューブとの間に第２管腔が形成されてもよい。前記外科用ブレードは前記遠位端で前記細長いチューブに接続されてもよい。前記手術ツールの本体に取り付けられる前記コネクタハブは、前記近位端で前記カニューレアセンブリに接続される中央内側ハブ穴及び１以上の外側ハブ穴を有してもよい。前記細長いチューブは、前記コネクタハブの前記中央内側ハブ穴内に設置されてもよい。前記コネクタハブの前記１以上の外側ハブ穴は前記第２管腔に接続されてもよい。前記手術ツールの前記本体内の前記軸方向玉継ぎ手は、前記カニューレアセンブリの前記近位端で前記細長いチューブに接続され、回転すると、対象手術部位の組織の一部を剪断するように前記遠位端の前記外科用ブレードを前記縦軸の回りに回転させてもよい。
【００２４】
さらに本発明のいくつかの実施形態によると、前記剪断される部分は、眼の線維柱帯から切除される眼組織を備えてもよい。
【００２５】
さらに本発明のいくつかの実施形態によると、前記手術ツールは、前記本体に組織の前記剪断される部分を収集するための生検収集チャンバを備えてもよい。
【００２６】
さらに本発明のいくつかの実施形態によると、前記生検収集チャンバは前記剪断される部分から組織の小片を捕捉するためのふるいを備えてもよい。
【００２７】
さらに本発明のいくつかの実施形態によると、前記手術ツールは、前記外科用ブレードで前記一部を剪断する前に、前記遠位端で前記第１管腔へと前記一部を吸い込むように構成されている真空ポンプを備えてもよい。
【００２８】
さらに本発明のいくつかの実施形態によると、前記手術ツールは、前記第１管腔を通して生検収集チャンバへと前記剪断される部分を吸い込むように構成されている真空ポンプを備えてもよい。
【００２９】
さらに本発明のいくつかの実施形態によると、前記手術ツールは、前記１以上の外側ハブ穴を通して前記カニューレアセンブリの前記近位端の前記第２管腔に接続される注入チューブを前記手術ツールの前記本体内に備えてもよい。
【００３０】
さらに本発明のいくつかの実施形態によると、前記手術ツールは、前記手術ツールの前記本体に形成され、前記注入チューブに接続される洗浄流体入力口を備えてもよい。
【００３１】
さらに本発明のいくつかの実施形態によると、前記可撓性シースは、前記手術ツールの前記本体の前記洗浄流体入力口を通して導入される洗浄流体が、前記遠位端の出口穴を通って前記対象手術部位を洗浄し得るように、前記カニューレアセンブリの前記遠位端の近傍の前記第２管腔へと入る前記出口穴を有してもよい。
【００３２】
さらに本発明のいくつかの実施形態によると、前記手術ツールは、ユーザにより押されて、前記対象手術部位における切断、吸引、又は注入機能の間を切り替え可能なボタンを備えてもよい。
【００３３】
本発明のいくつかの実施形態によると、対象手術部位の組織を剪断するための方法がさらに提供されている。方法は、手術ツールのカニューレアセンブリの遠位端を対象手術部位にナビゲートする工程を備え、前記手術ツールは、前記カニューレアセンブリと、外科用ブレードと、コネクタハブと、軸方向玉継ぎ手とを備えてもよい。前記遠位端と近位端とを有する前記カニューレアセンブリは、細長いチューブの第１管腔を軸方向に通る縦軸に沿う可撓性シース内に前記細長いチューブを有し、前記縦軸に沿って前記シースと前記細長いチューブとの間に第２管腔が形成されている。前記外科用ブレードは前記遠位端の前記細長いチューブに接続されてもよい。前記手術ツールの本体に取り付けられる前記コネクタハブは、前記近位端で前記カニューレアセンブリに接続される中央内側ハブ穴及び１以上の外側ハブ穴を有してもよい。前記細長いチューブは、前記コネクタハブの前記中央内側ハブ穴内に設置されてもよい。前記コネクタハブの前記１以上の外側ハブ穴は前記第２管腔に接続される。前記手術ツールの前記本体内の前記軸方向玉継ぎ手は、前記カニューレアセンブリの前記近位端で前記細長いチューブに接続され、回転すると、前記遠位端の前記外科用ブレードを前記縦軸の回りに回転させてもよい。前記方法は、前記軸方向玉継ぎ手を回転させることで前記対象手術部位の組織の一部を剪断する工程を備えてもよい。
【００３４】
さらに本発明のいくつかの実施形態によると、前記組織の前記一部を剪断する工程は、眼の小柱網から眼組織を切除することを含んでもよい。
【００３５】
さらに本発明のいくつかの実施形態によると、前記方法は、前記第１管腔を通して生検収集チャンバへと前記剪断される部分を吸い込むように、前記第１管腔に真空を適用することによって生検サンプルを採取する工程を備えてもよい。
【００３６】
さらに本発明のいくつかの実施形態によると、前記方法は、前記カニューレアセンブリの前記遠位端の近傍の前記第２管腔から前記可撓性シースの出口穴を通る洗浄流体で前記対象手術部位を洗浄する工程を備えてもよい。
【００３７】
さらに本発明のいくつかの実施形態によると、前記方法は、前記外科用ブレードで前記一部を剪断する前に前記遠位端の前記第１管腔へと前記対象手術部位の眼組織の前記一部を吸い込む工程を備えてもよい。
【００３８】
さらに本発明のいくつかの実施形態によると、前記方法は、前記組織部分を前記遠位端の前記第１管腔へと吸い込んだ後、所定の時間間隔内で前記対象手術部位の前記組織部分を前記外科用ブレードで剪断し、洗浄流体で前記対象手術部位を洗浄する工程を備えてもよい。
【図面の簡単な説明】
【００３９】
本発明がより理解され、その実用的な適用が理解されるために、以下の図面が提供され、以降で参照される。図面は例としてのみ提示され、いかなる場合でも本発明の範囲を制限することはないことに注意すべきである。類似の構成要素は類似の参照番号で示される。
【図１】本発明のいくつかの実施形態による、低侵襲線維柱帯切開術（ＭＩＮＴ）を眼に施す手術器具を保持する医者の手を模式的に示す。
【図２】本発明のいくつかの実施形態による、眼の拡大図を、線維柱帯の一部分に垂直に位置付けられたカニューレアセンブリの遠位端と共に模式的に示す。
【図３Ａ】本発明のいくつかの実施形態による、ペングリップ形状要素を有する手術ツールの第１実施形態を模式的に示す。
【図３Ｂ】本発明のいくつかの実施形態による、ピストル形状要素を有する手術ツールの第２実施形態を模式的に示す。
【図４】４Ａは、本発明のいくつかの実施形態による、カニューレアセンブリを模式的に示す。４Ｂは、本発明のいくつかの実施形態による、切断ブレードを有するカニューレアセンブリを模式的に示す。４Ｃは、本発明のいくつかの実施形態による、ブレードの拡大図を模式的に示す。４Ｄは、本発明のいくつかの実施形態による、ブレードを有するカニューレアセンブリの遠位端の断面図を模式的に示す。４Ｅは、本発明のいくつかの実施形態による、切断ワイヤを有するカニューレアセンブリを模式的に示す。４Ｆは、本発明のいくつかの実施形態による、切断ワイヤを有するカニューレアセンブリの遠位端の断面図を模式的に示す。
【図５Ａ】本発明のいくつかの実施形態による、カニューレハブに取り付けられた膨張可能なシースを有するカニューレアセンブリを模式的に示す。
【図５Ｂ】本発明のいくつかの実施形態による、カニューレハブに取り付けられたカニューレアセンブリの右方斜視図を模式的に示す。
【図５Ｃ】本発明のいくつかの実施形態による、カニューレハブに取り付けられたカニューレアセンブリの左方斜視図を模式的に示す。
【図６】本発明のいくつかの実施形態による、ピストル形状要素を有する手術ツールの断面側面図を模式的に示す。
【図７Ａ】本発明のいくつかの実施形態による、ロッキングインターフェースを模式的に示す。
【図７Ｂ】本発明のいくつかの実施形態による、ロッキングインターフェースの断面図を模式的に示す。
【図８Ａ】本発明のいくつかの実施形態による、手術ツールの第３実施形態の側面図を模式的に示す。
【図８Ｂ】本発明のいくつかの実施形態による、手術ツールの第３実施形態の斜視図を模式的に示す。
【図９Ａ】本発明のいくつかの実施形態による、カニューレアセンブリの第２実施形態の側面図を模式的に示す。
【図９Ｂ】本発明のいくつかの実施形態による、カニューレアセンブリの第２実施形態の斜視図を模式的に示す。
【図９Ｃ】本発明のいくつかの実施形態による、カニューレアセンブリの第２実施形態の断面図を模式的に示す。
【図１０】本発明のいくつかの実施形態による、対象手術部位の組織を剪断するための手術器具を制御するためのシステムを模式的に示す。
【発明を実施するための形態】
【００４０】
以下の詳細な説明では、数々の具体的な詳細が、本発明を十分に理解するために説明されている。しかしながら、本発明はそれらの具体的詳細なしで実施され得ることが当業者に理解されるであろう。他の例では、周知の方法、手順、構成要素、モジュール、ユニット、及び／又は回路は、本発明を曖昧にしないように詳細に説明されていない。
【００４１】
本発明の実施形態はこの点に限定されないが、例えば、「処理（ｐｒｏｃｅｓｓｉｎｇ）」、「演算（ｃｏｍｐｕｔｉｎｇ）」、「計算（ｃａｌｃｕｌａｔｉｎｇ）」、「判定（ｄｅｔｅｒｍｉｎｉｎｇ）」、「確証（ｅｓｔａｂｌｉｓｈｉｎｇ）」、「分析（ａｎａｌｙｚｉｎｇ）」、「検査（ｃｈｅｃｋｉｎｇ）」等の用語を利用する考察は、コンピュータ、コンピューティングプラットフォーム、コンピューターシステム、又は、コンピュータのレジスタ及び／又はメモリ内の物理的（例えば、電子的）量として表されるデータを、同様にコンピュータのレジスタ及び／若しくはメモリ、又は動作及び／又は処理を行う命令を記憶してもよい他の情報非一時的記憶媒体（例えば、メモリ）内の物理的量として表される他のデータへと操作及び／又は変換する、他の電子コンピューティングデバイスの動作及び／又は処理を言及してもよい。本発明の実施形態はこの点に限定されないが、本明細書中で使用される「複数（ｐｌｕｒａｌｉｔｙ）」又は「複数（ａ  ｐｌｕｒａｌｉｔｙ）」という用語は、例えば、「多数（ｍｕｌｔｉｐｌｅ）」又は「２以上（ｔｗｏ  ｏｒ  ｍｏｒｅ）」を含んでもよい。「複数（ｐｌｕｒａｌｉｔｙ）」及び「複数（ａ  ｐｌｕｒａｌｉｔｙ）」という用語は、２以上の構成要素、装置、要素、ユニット、パラメータ等を説明するために明細書中にわたり使用されてもよい。明示的に述べられていない限り、本明細書中で説明されている方法の実施形態は、特定の順番又は順序に制約されない。さらに、記載の方法の実施形態又はその要素のいくつかは、同時に、時間における同じ点において、又は並行して発生又は行われることができる。特記のない限り、本明細書中で使用される「又は（ｏｒ）」の接続詞の使用は、包括的（述べられた選択肢のいくつか又は全て）であると理解される。
【００４２】
本明細書中の本発明の実施形態は対象手術部位の組織を剪断するための手術ツールを説明する。手術ツールは、遠位端と近位端とを有するカニューレアセンブリと、遠位端でカニューレアセンブリの管腔へと入るカニューレ開口部と、遠位端及びカニューレ開口部内に接続される切断装置と、手術ツール内の軸方向玉継ぎ手とを備えてもよく、軸方向玉継ぎ手はカニューレアセンブリの近位端に接続され、回転すると、対象手術部位の組織の一部を剪断するように、遠位端の切断装置をカニューレアセンブリの管腔を軸方向に通る縦軸の回りに回転させる。
【００４３】
本発明のいくつかの実施形態では、剪断された組織部分は病理分析用の生検サンプルとして使用されてもよい。手術ツールは、対象者の身体の任意の位置の組織の層を分離させるために使用されてもよい。手術ツールは、例えば、組織の上層を取り除き、組織の下層は対象手術部位に無傷で残すように使用されてもよい。下記のように眼手術及び眼の生検サンプルの採取のために手術器具を使用することに加えて、例えば、真空補助下生検、癌の生検、又は皮膚の生検で使用されてもよい。
【００４４】
本発明の実施形態は以下に低侵襲手術器具をさらに説明するが、低侵襲手術器具は眼の線維柱帯の一部を取り除くため、小さな角膜の切開を通して挿入されてもよく、その結果、緑内障の治療において、房水の排出を可能にする。組織の除去は機械的手段又は他の組織破壊技術によって実現されてもよい。
【００４５】
手術器具はまた、吸引システムを備えてもよい。吸引システムは、剥離組織、ガス及び気泡の形成、並びに生成された全ての眼内破片を取り除くように構成されてもよい。除去された線維柱帯組織は、さらなる分析のために生検チャンバに収集されてもよい。
【００４６】
手術器具は、眼の隅角の線維柱帯及びシュレム管への容易なアクセスを得るために、注入システムに接続されて、前房を維持して深めてもよい。注入は、手術が行われている最中に流体を集合管へと流出させることもできるため、手術部位に血液がないように保ち、執刀医がはっきりと見ることを可能にする。
【００４７】
当該手術器具は緑内障治療のための簡単な外科的ソリューションを提供する。ＥＬＴのようなシュレム管の開窓術を行うが、さらにより簡単で安い器具を使用する。実施形態によっては、手術器具は、ｉＳｔｅｎｔ注入（Ｇｌａｕｋｏｓ社）及びＨｙｄｒｕｓステント（Ｉｖａｎｔｉｓ）等の機械的装置の使い勝手の良さを組み合わせてもよいが、虹彩によって潜在的にブロックされ得る場所又は角膜の損傷を引き起こし得る場所に装置を残さない。ＴＭをバイパスし、カフークデュアルブレード（ＫＤＢ）等の装置を残さない他の低侵襲緑内障手術（ＭＩＧＳ）治療は、例えば、使用が難しい。このことはＳＣに重大な損傷を引き起こす場合があり、標的化した正確な外科的穿孔処置よりも隣接する組織に損傷（例えば、虹彩離断及びデスメ膜剥離）を引き起こしやすい場合がある。アブ  インテルノ式の管形成処置（ＡＢｉＣ）は、より高価で高機能な機器を必要とし、行うことが技術的により難しいが、潜在的に集合管を拡げる唯一のＭＩＧＳ処置であり得るというメリットも有する。
【００４８】
要約すると、正確なＴＭ標的化等のＥＬＴ処置のいくつかのメリットと、実証済みの長期のＩＯＰコントロールをコスト削減及び機械的ＴＭ  ＭＩＧＳの使いやすさと共に提供する複合処置としては、当該複合処置は、先行技術により妨げられない固有の処置として有望である。このことはまた、ゴニオスコピー補助経腔的線維柱帯切開術（ＧＡＴＴ）のようなより外科的に破壊的な隅角処置とＫＤＢ及びｉＳｔｅｎｔ注入等の正確だがより予測困難で高価な装置との均衡をうまくとる。さらに、ＩＯＰの低下が実現されるとしても、より多くのｉＳｔｅｎｔ注入をインプラントすることは人にとってはより高価となるため可能ではないが、繰り返し可能な処置としての低侵襲線維柱帯切開術（ＭＩＮＴ）は、追加費用なしでＴＭの穿孔をより多く提供し得る。このようにして、標的化し得るＴＭの最適な円周又は最適な数の穴が作られ得る。ｉＳｔｅｎｔが不正確に挿入された場合、機能不全となり、そのチャンスは失われる。しかしながら、穿孔が不正確に位置しても、正しい場所にまた１つあければよいので、学習曲線がそれほど急勾配でない。
【００４９】
前述したように臨床的適応に基づく、本明細書中で説明されている手術器具は、原発性開放隅角緑内障の全ての形態を治療し得る。他のＭＩＧＳと同様に、開放された隅角又は閉塞隅角緑内障におけるＴＭのアクセス可能箇所を処置するために適し得るが、かさばる装置がその場に残されて、虹彩によりブロックされる又は慢性的な炎症とその後遺症を潜在的に引き起こすことがないので、より成功しやすい。
【００５０】
市場には様々なＴＭ  ＭＩＧＳ処置が存在する。切除又は処置されたＴＭに対する量に関して、ＭＩＮＴはｉＳｔｅｎｔ注入を超えるもの及びＫＤＢと同等のものを提供するが、ゴニオスコピー補助経腔的線維柱帯切開術（ＧＡＴＴ）又はＴＭの３６０度を標的とするＴｒａｂ３６０の処置ほどではない。使いやすさに関して、ＭＩＮＴはＡＢｉＣ及びＨｙｄｒｕｓよりも実施しやすいが、ｉＳｔｅｎｔ注入よりは若干難しいかもしれない。前房内の血液に起因する視覚回復の遅れに関しては、これはＫＤＢ及びＧＡＴＴよりは少ないが、同様に、ＴＭの大きな部分を除去するのとは反対に血液を出すには小さな穴しかないという点で、ｉＳｔｅｎｔ注入及びＨｙｄｒｕｓと同等かもしれない。
【００５１】
Ｘｅｎ４５(アラガン)、Ｉｎｎｆｏｃｕｓ  Ｍｉｃｒｏｓｈｕｎｔ、及びＣｙＰａｓｓ（アルコン）等の競合する非ＴＭ  ＭＩＧＳ装置と比べて、ＭＩＮＴの主たるデメリットは、例えば、ＩＯＰを上強膜静脈圧（例えば、１１ｍｍＨｇ）未満に下げる能力である。ところが、ＴＭ  ＭＩＧＳとしては、逆に、視力を脅かす視覚的合併症を伴う低眼圧症の原因となるこのレベルをＩＯＰが下回らないという利点を有している。これらの予測不能な合併症は回避することが困難で、成し遂げなくてはならない手術がさらに必要となる。この低眼圧症はＴＭ  ＭＩＧＳでは起こり得ない。
【００５２】
本発明の実施形態では、手術器具は、隣接する組織の損傷を減らすように、適切な装置のデザインによって実現されてもよい、以下の特徴を持っていてもよい。
【００５３】
挿入の容易さ：２．６５ｍｍの角膜の創傷を通して挿入される手術器具装置の小さな先端形状。
【００５４】
切除の容易さ：中空インナーチャンバ内に固定された切断ブレード又は切断ワイヤを有するカニューレであって、カニューレは眼の線維柱帯に対し垂直／接線方向に挿入及び進路変更動作を行うように縦軸に沿って回転できる。代替的にカニューレを通して伝送されるレーザビームを使用して対象組織を切除してもよい。
【００５５】
吸引の容易さ：最小限の組織処置又は周囲組織への損傷で切除した線維柱帯を採取する能力。
【００５６】
最小限の損傷：組織表面でカニューレ先端が摩耗した場合であっても周囲の線維柱帯への損傷を防ぐため、カニューレ先端外壁形状は内向きに湾曲していてもよい。
【００５７】
両手利きの片手使用のための手持ち型の手術器具装置は、ピストル又はペングリップの形状要素を有していてもよい。
【００５８】
手術器具装置はバッテリ式で完全に携帯可能であってもよい。
【００５９】
手術器具装置には、切除された線維柱帯生検収集のための生検チャンバが搭載されていてもよい。
【００６０】
手術器具装置は、前房を維持して深め、手術部位を洗浄してその領域に血液がないようにするために注入システムに接続されていてもよいオプションの注入口を備えていてもよい。
【００６１】
手術器具装置は、カニューレアセンブリを備えてもよく、カニューレアセンブリは、カニューレ先端内で放射状に延び、カニューレ先端に対して面一の切断ブレード又は切断ワイヤを有する、眼内で一時的な外科的使用をするための使い捨て可能な医療的に承認された材料であってもよい。
【００６２】
カニューレは、手持ち型手術ツールに接続された際に分離して独立的なチャンバを形成するための２つのルアーロック接点を有する「デュアルハブ」機構を有してもよい。
【００６３】
カニューレは、注入を提供するようにその長さに沿って巻かれた柔らかく膨張可能及び可撓性なシースを備えてもよく、遠位端の近傍のシースにおける１以上の穴から洗浄流体が流出してもよい。
【００６４】
本明細書中で説明されている本発明の実施形態は、緑内障の治療のための眼科用手術器具及び方法に関する。緑内障は様々な形態の開放隅角緑内障（ＯＡＧ）であってもよい。緑内障の治療のための方法は、機械的切断、剪断、焼灼、切除、蒸発、又は他の適切な組織破壊技術によって線維柱帯（ＴＭ）のいくつかの小さな個別部分の除去を含んでもよく、これにより眼の前房からＳＣへの流路が妨害されないようにできる。方法はまた、切除された組織生検の吸引及び収集を含んでもよい。
【００６５】
本発明のいくつかの実施形態では、手術器具は眼の前房又は後房内に注入するための装置を任意に備えてもよい。
【００６６】
本発明のいくつかの実施形態では、手術器具は手持ち型携帯可能手術装置に取り付けられた使い捨てカニューレを備えてもよい。他の実施形態では、カニューレは使い捨てであってもよい。使い捨てカニューレは、カニューレ先端内で放射状に延び、カニューレ先端に対して面一の切断ブレード又は切断ワイヤを有する、眼内で一時的な外科的使用のための使い捨て可能な医療的に承認された材料からできていてもよい。眼の線維柱帯に対し垂直及び接線方向に挿入され、手持ち型装置により吸引が適用された場合、線維柱帯の一部がカニューレ内へと吸い込まれる。そして、カニューレは、中空チャンバ内で線維柱帯をきれいに切除する剪断作業を行うように、その縦軸に沿って回転してもよい。剪断作業はその後、所望するＩＯＰの低下に従って、ＴＭの他の部分で繰り返されてもよい。
【００６７】
カニューレは流路注入に平行に延びるチューブを伴ってもよく、チューブは前房を維持して深め、視認性を高めるためにその領域に血液がないように保つように手術部位を洗浄する。他の実施形態では、カニューレを巻いている柔らかい膨張可能なシース（例えば、シリコン）が、注入を提供するように使用されてもよく、膨張可能なシースではその長さに沿って巻かれた柔らかく膨張可能及び可撓性なシースを備えてもよく、カニューレ先端の近傍のシースに形成された穴から洗浄流体が流出してもよい。
【００６８】
さらに他の実施形態では、カニューレは焼灼、蒸発、又は他の組織破壊的技術により実質的には完全な組織除去が可能なレーザプローブであってもよい。組織の焼灼又は蒸発を可能にするために、線維柱帯の近接部のプローブ内にファイバが保持され、これがプローブ先端の遠位端に光エネルギーを指向する。注入能力を有するカニューレは、２．６５ｍｍの角膜の創傷を通した挿入のために小さな先端形状を有していてもよい。
【００６９】
本発明のいくつかの実施形態では、手術器具はバッテリ式手持ち型ツールであってもよく、これはカニューレの回転及び洗浄流体の注入率を操作及び制御する。手術器具は、カニューレの操作及びＴＭ組織の剪断を可能にするための電気ロータを備えてもよい。手術器具は、切除された線維柱帯を閉じ込めるための収集チャンバを備えてもよい。
【００７０】
本発明のいくつかの実施形態では、手術器具は、吸引又は注入を制御するポンプシステムと、携帯使用を可能にするバッテリと、回転及び注入の作動を切り替える１以上のトリガーボタンと、洗浄流体入力口とを備えてもよく、洗浄流体入力口は分離した注入システム又は装置内に組み込まれているかのいずれかに任意に接続されてもよい。手術器具はピストル又はペングリップの形状要素又は両手利きの片手使用に適切なその他の形状要素を有してもよい。
【００７１】
稼働中、手術器具は、線維柱帯の一部を除去し、房水が前房から通って上強膜静脈系に繋がるシュレム管へ、そしてその結果、身体の全身循環系へと自由に出入りできるようにすることでＩＯＰ低下の効果を発揮してもよい。多数の切除部位が１以上の集合管を露出できるように、より大きな排出領域のため、線維柱帯周りの放射状（例えば、眼４０周り）に、異なる時計時刻（例えば、異なる角度）で行われてもよい。
【００７２】
本明細書中で説明されている手術ツールを使用する緑内障治療の方法は、簡単、効果的、低費用、低侵襲的、インプラント不能な緑内障治療の選択肢である。
【００７３】
図１は、本発明のいくつかの実施形態による、眼４０に低侵襲線維柱帯切開術（ＭＩＮＴ）を施す手術器具１５を保持する医者の手１０を模式的に示す。手術器具１５は、本明細書中でＭＩＮＴ手術器具、手術ツール、又はＭＩＮＴ手術ツールと呼ばれる又は同義で使用されてもよい。手術器具１５は、遠位端２３を有する、典型的に使い捨てアタッチメントである、カニューレアセンブリ２０を備えてもよい。カニューレアセンブリ２０は、軸２５に沿って斜めに、切開部３５を介して角膜４５を通って眼４０の中へ挿入されるように構成されていてもよい。図１の下部に示される眼４０は、まぶた３２と、強膜３４と、瞳孔３１と、角膜縁３８（例えば、角膜強膜接合部）とを含む。
【００７４】
図２は、本発明のいくつかの実施形態による、眼４０の拡大図を線維柱帯６８の一部分に垂直に位置付けられたカニューレアセンブリ２０の遠位端２３と共に模式的に示す。図２は、眼４０の解剖学的特徴を模式的に示す。これらの解剖学的特徴は、角膜４５、シュレム管６６、線維柱帯６８、虹彩角膜角７０、毛様体上皮７１、毛様筋７２、角膜縁３８、虹彩３６、毛様体突起７６、毛様体扁平部７８、強膜８０、及び網膜８２を含んでもよい。
【００７５】
本発明のいくつかの実施形態では、カニューレアセンブリ２０は、一般的に長さ２．６５ｍｍの、角膜創傷切開部３５を通して、例えば軸２５に沿って挿入されてもよい。角膜創傷切開部３５は、一般的に角膜縁３８の近傍で、角膜４５の任意の適切な位置に作られてよい。遠位端２３は、図１の矢印２６によって示されるように線維柱帯６８に沿って異なる点にて眼４０の線維柱帯６８（例えば、図２の矢印６９によって示される対象手術部位）に垂直及び接線方向に置かれてもよい。矢印２６は、医者が手術ツール１５の遠位先端２３を前房内でナビゲートする際における、角膜創傷切開部３５を通る軸２５の異なる軌道を表してもよい。遠位端２３は任意の適切な構成のブレード３０を備えてもよい。カニューレアセンブリ２０が、矢印８８により示される縦軸２５に沿って一般的に３６０度だけ回転すると、線維柱帯６８の組織の部分８９が切除され得る。眼組織の部分８９は、例えば、緑内障の又は他の病理学的組織が存在するか判定するための検査のための生検組織サンプルとして使用されてもよい。
【００７６】
本発明のいくつかの実施形態では、手術器具１５は、緑内障の治療において、房水排出を増加させ、ＩＯＰを下げるように、眼４０の線維柱帯６８の部分８９を取り除くために使用されてよい。
【００７７】
本発明のいくつかの実施形態では、手術器具１５は、例えば、矢印により示されるように真空８８を作り出し、軸２５に沿って切除された生検組織サンプル８９を吸引するための真空ポンプ等の吸引システムを備えてもよい。吸引システムは、剥離組織、ガス及び気泡形成、並びに外科的処置の最中に作られた他の全ての眼内破片を取り除くように設計されてもよい。他の実施形態では、手術器具１５の使用は眼の緑内障の眼疾患の生検に限らず、他のタイプの眼疾患の生検サンプルを収集する（例えば、任意のタイプの眼組織を切除する）ために使用されてもよい。
【００７８】
さらに、吸引システムは、線維柱帯から生検組織８９を採取することの補助に使用されてもよい。例えば、真空８８は組織をカニューレアセンブリ２０内へと吸い込んでもよく、ここでブレード３０が、組織サンプルをねじって及び／又は剪断するために３６０度回転してもよく、ここで真空８８が生検サンプル８９を収集チャンバ内に吸い込んでもよい。実施形態によっては、手術器具１５は吸引した生検組織サンプル８９を収集するための収集チャンバを備えてもよい。
【００７９】
本発明のいくつかの実施形態では、手術ツール１３０は、処置中に眼４０の前房を維持して深めるように、眼４０に洗浄流体を注入する注入システムに接続されてもよい。眼４０の深められた前房は、眼科執刀医が、線維柱帯６８及びシュレム管６６への容易なアクセスによって遠位端２３を軸２５に沿って眼４０内へ挿入することを可能にする。洗浄流体は、このように手術部位に血液のないように保って手術を行っている間、カニューレアセンブリ２０の遠位端２３から流出してもよく、執刀医が手術部位をはっきり視認するようにできてもよい。別の言い方をすると、洗浄流体は、例えば、房水等の流体の喪失により医療処置中に眼が虚脱することを防ぐために使用されてもよい。
【００８０】
実施形態によっては、洗浄流体又は注入流体は、注入のための平衡塩類溶液（ＢＳＳ）を含んでもよい。他の実施形態では、洗浄流体は医療処置中に眼の中に導入されてもよい薬物を含んでもよい。
【００８１】
本発明のいくつかの実施形態では、対象手術部位の組織に真空を適用することと、ブレードの回転及び対象手術部位から血液を洗い流すための注入との間に時間的な遅延（例えば、所定の時間間隔）が利用されてもよい。０乃至１秒の範囲の時間的な遅延は、切断ブレードで組織を剪断する前に遠位端２３内に組織を吸い込むために十分な負圧が対象手術部位の組織に蓄積することを可能にしてもよい。
【００８２】
図３Ａは、本発明のいくつかの実施形態による、ペングリップ形状要素を有する手術ツール１５の第１実施形態を模式的に示す。ペングリップ形状要素は、両手利きの片手使用を許容してもよい。ペングリップ形状要素を有する手術ツール１５は、手術ツールの手持ち部分に接続されるカニューレハブ１４０回りに回転するカニューレアセンブリ２０を備えてもよい。実施形態によっては、手術ツール１５のボタン１００及び１０２が割り当てられて、回転／吸引機能及び注入機能を作動させてもよい。
【００８３】
他の実施形態では、手術ツール１５は１つ又は２つのボタンを有してもよい。１つのボタンが使用される実施形態では、１つのボタンを、医師が例えば、回転、吸引、及び／又は注入機能の間で切り替えてもよい。実施形態によっては、１つのボタンは手術ツール１５の本体に存在していなくてもよく、手術ツール１５の回転（例えば、切断）、吸引、及び／又は注入機能の間で切り替えるように、ユーザ（例えば、医者）によって使用される手術ツール１５に接続されてもよいフットペダル又は起動ペダルとして実装されてもよい。
【００８４】
例えば、執刀医が外科用メスで角膜に１．８乃至２．７ｍｍの切開部を作った後、執刀医は手術ツール１５の遠位端２３を挿入して対象手術部位（例えば、線維柱帯）に遠位端２３をナビゲートし、対象手術部位で回転（例えば、切断）、吸引及び／又は注入機能の間を切り替える１つのボタンを押して装置を作動させてもよい。
【００８５】
図３Ｂは、本発明のいくつかの実施形態による、ピストル形状要素を有する手術ツール１３０の第２実施形態を模式的に示す。実施形態によっては、手術ツール１３０は、カニューレハブ１４０と、遠位端２３を有するカニューレアセンブリ２０と、トリガ１３５とを備えてもよい。カニューレアセンブリ２０は、膨張可能なシース１１０と、遠位端２３にブレード３０を有するカニューレ１０５とを備えてもよい。カニューレ１０５は、近位端でカニューレハブ１４０と接続されてもよい。手術ツール１３０のボタン１３３及び１３５が割り当てられ、例えば、回転／吸引機能及び／又は注入機能を起動してもよい。
【００８６】
図４Ａは、本発明のいくつかの実施形態による、カニューレアセンブリ２０を模式的に示す。生検カニューレアセンブリ２０の一般的な長さは２０乃至２５ｍｍである。
【００８７】
図４Ｂは、本発明のいくつかの実施形態による、切断ブレード１５２を有するカニューレアセンブリ２０を模式的に示す。当該ブレード穿孔の実施形態は、断面直径が一般的に０．５ｍｍ以上の開口部１５０を有するブレード１５２を備えてもよい。
【００８８】
図４Ｃは、本発明のいくつかの実施形態による、ブレード１５２の拡大図を模式的に示す。ブレード１５２の背後にはカニューレ１０５の管腔への開口部１５０。
【００８９】
図４Ｄは、本発明のいくつかの実施形態による、ブレード１５２を有するカニューレアセンブリ２０の遠位端２３の断面図を模式的に示す。開口部１５０は、一般的に直径（例えば、カニューレ１０５の直径）０．５ｍｍ以上であってもよい。カニューレ壁からカニューレアセンブリ２０の外縁までの距離は、矢印１５６で示されるように一般的に０．１５ｍｍであってもよい。図４Ｄに示されるマーカー１５４でのブレード１５２の幅は一般的に０．０２ｍｍであってもよい。ブレード１５２は、カニューレ先端（例えば、遠位端２３）内の中間点まで放射状に延びてもよく、カニューレ開口部１５０と同一平面上又は近接して位置付けられてもよい。ブレードの刃先はカニューレ開口部１５０と平行である。
【００９０】
本発明のいくつかの実施形態では、カニューレ遠位端２３が操作中に手術部位の組織表面で摩耗した場合であっても、手術部位外の周囲の線維柱帯への損傷を防ぐために、カニューレ先端の湾曲した形状は遠位端２３で内向きに湾曲してもよい。ブレード１５２は、カニューレアセンブリ２０が３６０度回転すると、開口部１５０内のいかなる組織もねじられて及び／又は剪断されるように、カニューレアセンブリ２０の内壁に固定されていてもよい。
【００９１】
図４Ｅは、本発明のいくつかの実施形態による、切断ワイヤ１６０を有するカニューレアセンブリ２０を模式的に示す。本実施形態は、ブレード３０が切断ワイヤ１６０を有してもよい代替ワイヤ穿孔デザインを示す。
【００９２】
図４Ｆは、本発明のいくつかの実施形態による、切断ワイヤ１６０を有するカニューレアセンブリ２０の遠位端２３の断面図を模式的に示す。切断ワイヤ１６０は、カニューレ開口部１５０の内径にわたって放射状に完全に延びて、回転すると線維柱帯の剪断を行ってもよい。ブレード穿孔の実施形態のように、カニューレ遠位端２３が手術部位の組織表面で摩耗した場合であっても、手術部位外の周囲の線維柱帯への損傷を防ぐために、カニューレ先端の外壁形状は内向きに湾曲してもよい。切断ワイヤ１６０の幅は一般的に０．５ｍｍ以上であってもよい。
【００９３】
図５Ａは、本発明のいくつかの実施形態による、カニューレハブ１４０に取り付けられた膨張可能なシース１１０を有するカニューレアセンブリ２０を模式的に示す。カニューレ１０５は、第１管腔１４４を有してもよい。第２管腔１４９がシース１１０とカニューレ１０５（例えば、細長いチューブ１０５）との間に形成される。
【００９４】
図５Ｂは、本発明のいくつかの実施形態による、カニューレハブ１４０に取り付けられたカニューレアセンブリ２０の右方斜視図を模式的に示す。
【００９５】
図５Ｃは、本発明のいくつかの実施形態による、カニューレハブ１４０に取り付けられたカニューレアセンブリ２０の左方斜視図を模式的に示す。
【００９６】
本発明のいくつかの実施形態では、カニューレアセンブリ２０はカニューレハブ１４０に取り付けられたカニューレ１０５を備えてもよい。他の実施形態では、カニューレアセンブリ２０は、柔らかい膨張可能なシースラッピング（例えば、シース１１０）を備えて、遠位端２３の近傍の１以上の出口穴１４２から洗浄流体が流出してもよい注入を提供してもよい。
【００９７】
本発明のいくつかの実施形態では、柔らかい膨張可能なシースラッピングは、カニューレ１０５と平行に延びるチューブ（例えば、シース１１０）の形状で、注入液を眼４０のチャンバ内に導いてもよい。シース１１０内及び（例えば、第２管腔１４９を介して）出口穴１４２から出る注入液の流れの方向は図５Ｂ及び図５Ｃの両方で矢印によって見ることができる。カニューレハブ１４０は、手術ツール１５に取り付け可能で、カニューレハブ１４０の１以上の穴１４８は、穴１４８を介してカニューレアセンブリ２０のシース１１０内に洗浄流体が流れることを可能にしてもよい。
【００９８】
同様に、線維柱帯６８から剪断された組織サンプル８９は遠位端２３からカニューレ１０５の第１管腔１４４を通して吸引されてもよい。剪断された組織サンプル８９は、真空８８によって第１管腔１４４を通って、カニューレ１０５の回転８７を許容する方法で第１管腔１４４がカニューレハブ１４０の中心孔１４５に接続されるカニューレ１０５の近位端２４まで運ばれてもよい。カニューレハブ１４０のねじ部１４６は、カニューレハブ１４０を手術ツール１５のロッキングインターフェースに接合及び固定するために使用されてもよい。剪断された組織サンプル８９は、手術ツール１５内の生検収集チャンバに運ばれてもよい。
【００９９】
図５Ａ乃至図５Ｃに示される実施形態において、カニューレハブ１４０は、２つのルアーロック接点を備えて、外科的手持ち型装置１５に接続されると分離して隔絶したチャンバを形成してもよい。２つの隔絶したチャンバ（例えば、第１管腔１４４及び第２管腔１４９）が、１以上の穴１４８を介してシース１１０へと外側のハブ内の洗浄流体の独立した流れ及びカニューレ第１管腔１４４を通しての吸引を可能にする。
【０１００】
図６は、本発明のいくつかの実施形態による、ピストル形状要素を有する手術ツール１３０の断面側面図を模式的に示す。手術ツール１３０は、遠位端２３と、カニューレハブ１４０に接続される近位端２４とを有するカニューレアセンブリ２０を備えてもよい。カニューレハブ１４０は、手術ツール１３０の本体１７２に取り付けられてもよい。本体１７２の要素は、図６に示されるように点線で画定されるボックス内に示されている。本体１７２は、例えば、トリガ１３５と、カニューレ１０５の３６０度回転のための軸方向玉継ぎ手１７５と、生検収集チャンバ１７０と、平衡塩類溶液（ＢＳＳ）点滴のために洗浄流体を導入するための洗浄流体入力口１８０とを備えてもよい。本体１７２では、洗浄流体は入力口１８０から軸方向玉継ぎ手１７５に接続されている注入チューブ１８８内へと流れてもよい。
【０１０１】
実施形態によっては、挿入図１６９に示されるように、生検収集チャンバ１７０は、遠位端２３から移動中及び生検収集チャンバ１７０に到着する前に、小片１７３に崩れ得る剪断される部分８９から組織の捕捉した小片１７３のためのふるい１７１を備えてもよい。ふるい１７１は、流量を向上させるために任意の適切なサイズ及び／又は形状であってよい。ふるい１７１は、図６に示されるように半球状の形状であってもよい。ふるい１７１は、平坦で円すい（例えば、三角形）又はドーム形状であってもよい。ふるい１７１は、生検収集チャンバ１７０内で部分的にカバー範囲を持つ膜であってもよい。これは生検収集チャンバ１７０への入り口に設置されてもよいし、生検収集チャンバ１７０内のいかなる場所に位置付けられてもよい。ふるい１７１は、ふるい１７１を表す点線の間隙で示されるように穴を有していてもよい。ふるい１７１の穴は円状又は正方形状であってもよく、各穴は２０μｍ乃至１ｍｍのサイズ範囲にある。
【０１０２】
本発明のいくつかの実施形態では、剥離組織サンプル８９を、本体１７２内のチューブ１８４及び１８６を介して、生検収集チャンバ１７０へと導いている間、軸方向玉継ぎ手１７５（又は任意の適切な類似機構）が使用されて、洗浄流体をシース１０５に注ぎ込んでいる間、カニューレ１０５を回転８７させる。チューブ１８４は第１管腔１４４に接続されてもよい。軸方向玉継ぎ手１７５は洗浄流体を、カニューレハブ１４０に接続されたチューブ１８２（例えば、注入チューブ１８８の続き）及び穴１４８を介してシース１１０の近位端へと注ぎ込む。洗浄流体は、遠位端２３近傍の１以上の出口穴１４２から手術部位へと流出するように、シース１１０内のカニューレアセンブリ２０の近位端２４から遠位端２３まで注ぎ込まれてもよい。
【０１０３】
図６の挿入図１０５は、矢印１０７がシース１１０内での洗浄流体の方向を示し、矢印１０９がカニューレ１０５内（例えば、第１管腔１４４内）での吸引（例えば、真空８８）の方向を示すカニューレアセンブリ２０の断面を示す。
【０１０４】
図７Ａは、本発明のいくつかの実施形態による、ロッキングインターフェース１４１を模式的に示す。
【０１０５】
図７Ｂは、本発明のいくつかの実施形態による、ロッキングインターフェース１４１の断面図を模式的に示す。
【０１０６】
手持ち型手術ツール１３０及び１５は、使い捨てカニューレアセンブリをＭＩＮＴ手術器具の本体に取り付けて保持するように、ねじ部１４７付き本体１７２の雄型コネクタ（又は任意の適切なはめ合わせコネクタ）にカニューレアセンブリ２０のカニューレハブ１４０（例えば、ねじ部１４６）を、取り付け又はねじ止めするためのロッキングインターフェース１４１を備えてもよい。使い捨てカニューレ（例えば、カニューレ１０５）の図７Ａ及び７Ｂに示されるデュアルハブデザインは、外側シース１１０の第２管腔１４９内での洗浄流体の独立的及び分離された流れ１０７（例えば、注入）及びカニューレ１０５の第１管腔１４４内の吸引流れ１０９を可能にする。
【０１０７】
本発明のいくつかの実施形態では、手術ツール１３０は電気モータを備えて、カニューレを回転させ、手術部位において生検組織の剪断を可能にしてもよい。
【０１０８】
本発明のいくつかの実施形態では、手術ツール１３０はポンプシステムを備えて、線維柱帯生検サンプルを収集するため、生検組織サンプル８９を生検収集チャンバ１７０へと吸い込むように、第１管腔１４４内に真空８８を形成してもよい。
【０１０９】
本発明のいくつかの実施形態では、洗浄流体入力口１８０は分離した注入システムに接続されてもよいし、手術ツール１３０自体に含まれてもよい。
【０１１０】
本発明のいくつかの実施形態では、トリガ１３５は、カニューレの回転及び洗浄流体の手術部位への注入の起動を切り替えるために使用されてもよい。
【０１１１】
本発明のいくつかの実施形態では、トリガ１３５は、カニューレ１０５の回転及び生検サンプル８９の生検収集チャンバ１７０内への吸い込みを起動させるために使用されてもよい。
【０１１２】
本発明のいくつかの実施形態では、液体空気膜又はバルブが使用され、生検収集チャンバ１７０及び真空システムを分離してもよい。
【０１１３】
本発明のいくつかの実施形態では、手術ツール１３０は携帯運用のためのバッテリを備えてもよい。
【０１１４】
本発明のいくつかの実施形態では、図６に示されるような指操作のためにトリガ１３５が手術ツール１３０の本体１７２の前側に位置付けられてもよい。他の実施形態では、トリガ１３５は、親指操作のために手術ツール１３０の本体１７２の後側に位置付けられてもよい。
【０１１５】
本発明のいくつかの実施形態では、液体空気膜又はバルブ機構の必要性をなくすように、せん動ポンプが本体１７２内の入力口１８０と生検収集チャンバ１７０との間に配置されてもよい。
【０１１６】
本発明のいくつかの実施形態では、手術ツール１３０は、手術ツール１３０がシリンジとして動作し得る場合、１以上のフィンガーグリップを備えてもよい。
【０１１７】
本発明のいくつかの実施形態では、手術ツール１３０はカニューレ１０５に平行に延びるチューブによって提供される注入を有してもよい。
【０１１８】
図８Ａは、本発明のいくつかの実施形態による、手術ツール２００の第３実施形態の側面図を模式的に示す。
【０１１９】
図８Ｂは、本発明のいくつかの実施形態による、手術ツール２００の第３実施形態の斜視図を模式的に示す。
【０１２０】
手術ツール２００は、挿入図２１２に示されるように外側チューブ２１４を有するカニューレアセンブリ２１０と、ステッピングモータ２１６と、後方カップアダプタ２１８と、末端カップ固定ネジ２２０と、空気／真空チューブスイベルコネクタ２２２と、回転中にチューブ２１０を支持するための深溝フランジ球体ベアリング２２４と、前方ベアリングアダプタ２２６と、第２深溝フランジ球体ベアリング２２８と、前方接続チューブ２３０と、本体２３２（例えば、手術ツール外側シェル）と、末端カップ２３４と、電力ライン２３６と、真空ライン２４０とを備えてもよい。
【０１２１】
様々な実施形態で、カニューレアセンブリ２１０は、切断特徴部において溶接された外科用鋼２３Ｇチューブから形成されてもよい。外側チューブ２１４は、外科用鋼１９Ｇチューブから形成されてもよい。ステッピングモータ２１６は、２０ｍｍ中空軸ステッピングモータを備えてもよい。後方カップアダプタ２１８は、ナイロン摩擦接続装置−クランプ、カッターチューブ、モータ、及びスイベルコネクタを備えてもよい。末端カップ固定ネジ２２０は、Ｍ３ネジを備えてもよい。空気／真空チューブスイベルコネクタ２２２は、６ｍｍの空気／真空チューブスイベルコネクタであってもよい。前方ベアリングアダプタ２２６は、精密圧延ステンレス中空軸から形成されてもよい。前方接続チューブ２３０は、ナイロン摩擦接続装置−クランプ、カッターチューブ、モータ、及びスイベルコネクタを備えてもよい。電力ライン２３６は、ＪＳＴ２．０ＰＨ６ピン乃至４ピン型電気線を備えてもよい。真空ライン２４０は、６ｘ４ｍｍの空気／真空ラインを備えてもよい。
【０１２２】
図９Ａは、本発明のいくつかの実施形態による、カニューレアセンブリ３０５の第２実施形態の側面図を模式的に示す。
【０１２３】
図９Ｂは、本発明のいくつかの実施形態による、カニューレアセンブリ３０５の第２実施形態の斜視図を模式的に示す。
【０１２４】
図９Ｃは、本発明のいくつかの実施形態による、カニューレアセンブリ３０５の第２実施形態の断面図を模式的に示す。
【０１２５】
本発明のいくつかの実施形態では、カニューレアセンブリ３０５の遠位端３００（例えば、内側チューブ３０５）は、カニューレ開口部を通って縦軸に沿って軸方向に通過する外側チューブ３１０内に設置されてもよい。切断ブレード３２０は、図９Ｃに示されるように（例えば、カニューレ開口部から０乃至１０ｍｍのわずかな間隔をあけて）カニューレ開口部と同一平面上に又はカニューレ開口部の近傍に設置されてもよい。カニューレアセンブリ３００は外側チューブ３１０内で回転可能であってもよい。実施形態によっては、外側チューブ３１０は、対象手術部位の近傍の周囲組織への擾乱の誘発を回避し、単純に対象手術部位の組織に接触する遠位先端３１５でより良好な吸い込みを提供するように、回転不能とし、あるいは適所に固定されてもよい。
【０１２６】
本発明のいくつかの実施形態では、カニューレアセンブリ３０５の遠位端３００は、図９Ａに示される角度φが０乃至９０度の範囲にあってもよい傾斜した遠位先端３１５を有してもよい。傾斜した先端は、遠位先端３１５が眼の周辺前房内の典型的な角度で眼組織に接触する際、より均一な吸い込みを提供してもよい。
【０１２７】
図１０は、本発明のいくつかの実施形態による、対象手術部位の組織を剪断するための手術ツール２００を制御するためのシステム３５０を模式的に示す。システム３５０が使用されて、例えば、患者の眼に低侵襲線維柱帯切開術（ＭＩＮＴ）が行われてもよい。システム３５０は、流体セパレータ４１０を介して手術ツール２００の真空ライン２４０（例えば、図８Ａ及び８Ｂに示される）に接続された制御ボックス４００を備えてもよい。制御ボックス４００は、オン／オフスイッチ３５５、液晶ディスプレイ３６０、及びブレード３０（例えば、カニューレアセンブリ２１０）の回転速度を制御するための制御ノブ３６５を備えてもよい。真空ポンプ３９０が制御ボックス４００に接続されてもよく、ここで真空ポンプ３９０が真空規制バルブ３８５、真空ゲージ３９５、及び真空入力口３９７を備えてもよい。起動(フット)ペダル３８０がペダル制御ライン３７０を介して制御ボックス４００に接続されてもよい。起動ペダル３８０が、手術ツール２００を制御するためにユーザ（例えば、医者）によって使用されてもよい。起動ペダル３８０が使用されて、手術ツール２００の回転（例えば、切断）、吸引、及び／又は注入機能の間で切り替えられてもよい。
【０１２８】
本発明のいくつかの実施形態では、手術ツール１５は、レーザジェネレータ及びカニューレを備えてもよい。カニューレは、切除、蒸発、又は焼灼による実質的に完全な組織除去を可能にするレーザプローブであってもよい。レーザプローブは、光エネルギーをプローブ先端の遠位端に及び手術部位へと（例えば、組織の焼灼又は蒸発を可能にするために線維柱帯の近接部に）向けるファイバを備えてもよい。手術ツール１５は、分離した注入システムに任意に接続されてもよい注入／吸引入力口を備えてもよい。
【０１２９】
本発明のいくつかの実施形態では、手術ツール１５はレーザジェネレータ及びカニューレを備えてもよい。カニューレは切除、蒸発、又は焼灼による実質的に完全な組織除去を可能にするレーザプローブであってもよい。しかしながら、レーザビームを伝導するための１以上の光ファイバは、例えば、束状で用意されてもよい。束は、被覆材でまとめられてもよく、光エネルギーをプローブ先端の遠位端に及び手術部位へと（例えば、組織の焼灼又は蒸発を可能にするために線維柱帯の近接部に）向けるために使用されてもよい。
【０１３０】
本発明のいくつかの実施形態では、対象手術部位の組織を剪断するための手術ツールは、遠位端と近位端とを有するカニューレアセンブリと、遠位端でカニューレアセンブリの管腔内へと入るカニューレ開口部と、遠位端及びカニューレ開口部内に接続された切断装置と、カニューレアセンブリの近位端に接続された手術ツール内の軸方向玉継ぎ手とを備えてもよく、軸方向玉継ぎ手は、回転すると、対象手術部位の組織の一部を剪断するように遠位端の切断装置をカニューレアセンブリの管腔を通って軸方向に通過する縦軸の回りに回転させる。
【０１３１】
本発明のいくつかの実施形態では、対象手術部位は、対象者の眼の線維柱帯であってもよい。
【０１３２】
本発明のいくつかの実施形態では、カニューレアセンブリの遠位端は、湾曲した内向き先端形状を有してもよい。
【０１３３】
本発明のいくつかの実施形態では、カニューレアセンブリの遠位端は、傾斜した先端を有してもよい。
【０１３４】
本発明のいくつかの実施形態では、手術ツールは、外側チューブを備えて、カニューレアセンブリが縦軸に沿って軸方向に通過する外側チューブ内に設置され、カニューレアセンブリが外側チューブ内で回転可能であってもよい。
【０１３５】
本発明のいくつかの実施形態では、外側チューブは回転可能でなくてもよい。
【０１３６】
本発明のいくつかの実施形態では、切断装置はカニューレ内の中間点まで放射状に延びる又はカニューレ開口部と同一平面上でにあってもよい。
【０１３７】
本発明のいくつかの実施形態では、切断装置は外科的切断ブレードであってもよい。
【０１３８】
本発明のいくつかの実施形態では、対象手術部位の組織を剪断するための手術ツールは、カニューレアセンブリ２０を備えてもよい。遠位端２３と近位端２４とを有するカニューレアセンブリ２０は、細長いチューブ１０５の第１管腔１４４を軸方向に通る縦軸２５に沿う可撓性シース１１０内に細長いチューブ（例えば、カニューレ１０５）を有してもよく、第２管腔１４９が縦軸２５に沿ってシース１１０と細長いチューブ１０５との間に形成される。外科用ブレード３０は、遠位端２３において細長いチューブ１０５と接続してもよい。手術ツールの本体１７２に取り付けられてもよいコネクタハブ１４０は、近位端２４でカニューレアセンブリ２０と接続する中央内側ハブ穴１４５及び１以上の外側ハブ穴１４８を有してもよい。細長いチューブ１０５は、コネクタハブ１４０の中央内側ハブ穴１４５内に設置されてもよい。コネクタハブ１４０の１以上の外側ハブ穴１４８は第２管腔１４９に接続されてもよい。手術ツールの本体１７２内の軸方向玉継ぎ手１７５は、カニューレアセンブリ２０の近位端２４で細長いチューブ１０５に接続されてもよいが、回転８７すると、対象手術部位の組織の部分８９を剪断するように、遠位端２３の外科用ブレード３０を縦軸２５回りに回転８７させる。
【０１３９】
本発明のいくつかの実施形態では、剪断される部分は眼４０の線維柱帯から切除された眼組織を含んでもよい。
【０１４０】
本発明のいくつかの実施形態では、手術ツールは、組織の剪断される部分を収集するために本体内に生検収集チャンバを備えてもよい。
【０１４１】
本発明のいくつかの実施形態では、生検収集チャンバは、剪断される部分から組織の小片を捕捉するためのふるいを備えてもよい。
【０１４２】
本発明のいくつかの実施形態では、手術ツールは外科用ブレードで部分を剪断する前に、部分を遠位端の第１管腔に吸い込むように構成されている真空ポンプを備えてもよい。
【０１４３】
本発明のいくつかの実施形態では、手術ツールは剪断される部分を、第１管腔を通して生検収集チャンバへと吸い込むように構成されている真空ポンプを備えてもよい。
【０１４４】
本発明のいくつかの実施形態では、手術ツールはピストル形状要素を有していてもよい。
【０１４５】
本発明のいくつかの実施形態では、手術ツールはペングリップ形状要素を有していてもよい。
【０１４６】
本発明のいくつかの実施形態では、外科用ブレードは開口部の中間点まで放射状に延びて、遠位端の第１管腔内へ入ってもよい。
【０１４７】
本発明のいくつかの実施形態では、外科用ブレードは切断ワイヤを備えてもよい。
【０１４８】
本発明のいくつかの実施形態では、手術ツールは、１以上の外側ハブ穴を通してカニューレアセンブリの近位端で第２管腔に接続される手術ツールの本体内の注入チューブを備えてもよい。
【０１４９】
本発明のいくつかの実施形態では、手術ツールは、手術ツールの本体に形成されて、注入チューブに接続される洗浄流体入力口を備えてもよい。
【０１５０】
本発明のいくつかの実施形態では、可撓性シースはカニューレアセンブリの遠位端の近傍に第２管腔へと入る出口穴を有してもよく、手術ツールの本体内の洗浄流体入力口を通して導入された洗浄流体が遠位端の出口穴を通過して、対象手術部位を洗浄してもよい。
【０１５１】
本発明のいくつかの実施形態では、手術ツールは軸方向玉継ぎ手を回転させるためのモータを備えてもよい。
【０１５２】
本発明のいくつかの実施形態では、遠位端は内向きに湾曲している。
【０１５３】
本発明のいくつかの実施形態では、手術ツールはユーザにより押されてもよいボタンを備えて、対象手術部位での切断、吸引、又は注入機能の間を切り替えてもよい。
【０１５４】
本発明のいくつかの実施形態では、対象手術部位の組織を剪断するための方法は手術ツールのカニューレアセンブリの遠位端を対象手術部位にナビゲートする工程を含み、手術ツールは、細長いチューブの第１管腔を軸方向に通る縦軸に沿った可撓性シース内に細長いチューブを備えてもよい、遠位端と近位端とを有するカニューレアセンブリであって、第２管腔が縦軸に沿ってシースと細長いチューブとの間に形成されるカニューレアセンブリと、遠位端で細長いチューブに接続される外科用ブレードと、近位端でカニューレアセンブリと接続される中央内側ハブ穴及び１以上の外側ハブ穴を有してもよい、手術ツールの本体に取り付けられるコネクタハブと、細長いチューブはコネクタハブの中央内側ハブ穴内に設置され、コネクタハブの１以上の外側ハブ穴は第２管腔に接続され、カニューレアセンブリの近位端で細長いチューブに接続される手術ツールの本体内の軸方向玉継ぎ手であって、回転すると、遠位端の外科用ブレードを縦軸の回りに回転させる軸方向玉継ぎ手とを備え、軸方向玉継ぎ手を回転させることで対象手術部位の組織の一部を剪断する工程を含む。
【０１５５】
本発明のいくつかの実施形態では、組織の一部を剪断することは眼の小柱網から眼組織を切除することを含んでもよい。
【０１５６】
本発明のいくつかの実施形態では、方法は剪断される部分を、第１管腔を通して生検収集チャンバ内に吸い込むように第１管腔に真空を適用させることで生検サンプルを採取することを含んでもよい。
【０１５７】
本発明のいくつかの実施形態では、方法はカニューレアセンブリの遠位端の近傍の第２管腔から可撓性シースの出口穴を通る洗浄流体で対象手術部位を洗浄することを含んでもよい。
【０１５８】
本発明のいくつかの実施形態では、方法は外科用ブレードで部分を剪断する前に対象手術部位の眼組織の部分を遠位端の第１管腔へと吸い込むことを含んでもよい。
【０１５９】
本発明のいくつかの実施形態では、方法は組織部分を遠位端の第１管腔へと吸い込んだ後、所定の時間間隔内で対象手術部位の組織部分を外科用ブレードで剪断し、洗浄流体で対象手術部位を洗浄することを含んでもよい。
【０１６０】
異なる実施形態が本明細書中に開示されている。特定の実施形態の特徴は他の実施形態の特徴と組み合わされてもよく、従って、特定の実施形態は多数の実施形態の特徴の組み合わせであってもよい。本発明の実施形態の上述の説明は、図示及び説明の目的のために提示されている。本発明を開示された正確な形態に徹底させる又は限定する意図はない。当業者は、上記教示を考慮して多くの変形例、バリエーション、置き換え、変更、及びその同等が可能であることを理解する必要がある。そのため、添付の請求項は、本発明の真の主旨内に収まるよう、そのような変形例及び変更をすべて網羅すると理解される。
【０１６１】
本発明の特定の特徴が本明細書中で図示され説明されたが、ここで、多くの変形例、置き換え、変更、及びその同等が当業者によって行われるであろう。そのため、添付の請求項は、本発明の真の主旨内に収まるよう、そのような変形例及び変更をすべて網羅すると理解される。
【図１】
2021514278.tif 000003
【図２】
2021514278.tif 000004
【図３Ａ】
2021514278.tif 000005
【図３Ｂ】
2021514278.tif 000006
【図４】
2021514278.tif 000007
【図５Ａ】
2021514278.tif 000008
【図５Ｂ】
2021514278.tif 000009
【図５Ｃ】
2021514278.tif 000010
【図６】
2021514278.tif 000011
【図７Ａ】
2021514278.tif 000012
【図７Ｂ】
2021514278.tif 000013
【図８Ａ】
2021514278.tif 000014
【図８Ｂ】
2021514278.tif 000015
【図９Ａ】
2021514278.tif 000016
【図９Ｂ】
2021514278.tif 000017
【図９Ｃ】
2021514278.tif 000018
【図１０】
2021514278.tif 000019
【国際調査報告】
2021514278.tif 000020
2021514278.tif 000021
2021514278.tif 000022
2021514278.tif 000023
2021514278.tif 000024